(57)【要約】【課題】足場が簡便に建物に固定されうる足場固定具１の提供。【解決手段】足場固定具１は、建物に着脱可能に固定されるブラケット２と、この建物の周囲に構築される足場を把持するクランプ３とを備えており、上記ブラケット２が、本体４、副部材５、及び、本体４と副部材５とを接続するための接続部を有しており、上記本体４が、上記クランプ３が着脱可能に連結される連結部１０、１５を有しており、上記副部材５が、建物の一部に係止する作用位置と、係止しない非作用位置とに変位しうるように構成されており、本体４と作用位置にある副部材５とによって建物のベランダ１００の一部を把持しうるように構成されており、上記副部材５が、ブラケット２に嵌合によって接続される上記接続部としての嵌合部３０と、嵌合部３０に突設された、ベランダ１００の端部に係止されうる係止部３２とを有している。【選択図】図１
2011236573.tif 000002
【特許請求の範囲】
【請求項１】
建物に着脱可能に固定されるブラケットと、
この建物の周囲に構築される足場を把持するクランプとを備えており、
上記ブラケットが、本体、副部材、及び、本体と副部材とを接続するための接続部を有しており、
上記本体が、上記クランプが着脱可能に連結される連結部を有しており、
上記副部材が、建物の一部に係止する作用位置と、係止しない非作用位置とに変位しうるように構成されており、
本体と作用位置にある副部材とによって建物の一部を把持しうるように構成されている足場固定具。
【請求項２】
上記接続部が、副部材に形成された長尺の部材であり、この接続部に、建物の一部に係止されうる長尺の係止部が突設されており、
上記副部材が、接続部と係止部とから概ねＬ字状に形成されている請求項１に記載の足場固定具。
【請求項３】
上記本体が、主部と、この主部に突設された第一アーム部と、この第一アーム部に取り付けられた第一当接部材とを有しており、
上記副部材が、建物の一部に係止されうる係止部を有しており、
上記副部材の接続部が、上記係止部を上記主部に接続しうるように構成されており、
上記第一当接部材が、上記係止部に向かう方向に位置調整可能に構成されており、
上記第一当接部材と係止部とが、建物の一部であるベランダの端部を挟持することにより、上記ブラケットが建物に固定されるように構成されている請求項１に記載の足場固定具。
【請求項４】
上記接続部が、上記主部に嵌合することによって接続される嵌合部として構成されており、
この嵌合部と上記主部との嵌合位置が調節可能に構成されており、この嵌合位置の調節により、上記第一当接部材と係止部とが挟持する幅寸法を調節しうるように構成されている請求項３に記載の足場固定具。
【請求項５】
上記接続部が、上記係止部を上記主部に対して回転可能に接続しており、
係止部が、回転することによって作用位置と非作用位置とに変位しうる請求項３に記載の足場固定具。
【請求項６】
上記第一アーム部に突設された第二アーム部と、この第二アーム部に取り付けられた第二当接部材とをさらに備えており、
この第二当接部材が、上記主部に向かう方向に位置調整可能に構成されており、
主部と第二当接部材とで、建物の一部であるベランダの端部を挟持しうるように構成されている請求項３から５のうちのいずれかに記載の足場固定具。
【発明の詳細な説明】
【技術分野】
【０００１】
本発明は、足場を建物に固定するための用具に関する。
【背景技術】
【０００２】
建物に外壁塗装等の補修がなされるとき、足場が構築される。この足場は、縦パイプと横パイプとが組み合わされて構築される。足場を建物に固定する目的で、クランプが用いられている。このクランプは、一対の爪を備えている。これら爪によって、縦パイプが把持される。建物の外壁には、ドリルによって穴が開けられる。この穴に、クランプのシャフトが差し込まれる。シャフトは、接着剤や各種アンカーによって外壁に接合される。このクランプは、「壁つなぎ」と称されている。壁つなぎの一例が、実開平６−７１７６０号公報に開示されている。
【先行技術文献】
【特許文献】
【０００３】
【特許文献１】実開平６−７１７６０号公報
【発明の概要】
【発明が解決しようとする課題】
【０００４】
従来の壁つなぎが用いられるとき、壁に穴が開けられるので、壁にダメージを与える。この穴を開ける作業には、労力を要する。穴開け時には、騒音が発生する。しかも、穴を埋め戻す作業が必要である。この作業にも労力を要する。
【０００５】
本発明の目的は、足場が簡便に建物に固定されうる足場固定具の提供にある。
【課題を解決するための手段】
【０００６】
本発明に係る足場固定具は、
建物に着脱可能に固定されるブラケットと、
この建物の周囲に構築される足場を把持するクランプとを備えており、
上記ブラケットが、本体と、副部材と、本体と副部材とを接続するための接続部とを有しており、
上記本体が、上記クランプが着脱可能に連結される連結部を有しており、
上記副部材が、建物の一部に係止する作用位置と、係止しない非作用位置とに変位しうるように構成されており、
本体と作用位置にある副部材とによって建物の一部を把持しうるように構成されている。
【０００７】
かかる構成によれば、非作用位置にある状態の上記副部材を建物の一部に近接させ、次いで作用位置に変位させることにより、本体と副部材とによって、建物の一部が把持される。従って、建物の外壁に穴を明けることは不要である。また、上記副部材を建物の外側から内側へ挿入しやすく形成することも容易となる。そうすれば、この足場固定具は、建物外部の足場側に立つ作業者によって建物に装着されることも容易となる。
【０００８】
上記接続部が、副部材に形成された長尺の部材であり、この接続部に、建物の一部に係止されうる長尺の係止部が突設されており、上記副部材が、接続部と係止部とから概ねＬ字状に形成されているのが好ましい。例えば、この副部材の係止部を、非作用位置にある状態で、建物の狭い隙間を通して隙間の内側となるように差し入れ、次いで副部材を９０°程度回転させて作用位置とすることにより、係止部を建物に係止させうるからである。
【０００９】
又は、上記本体が、主部と、この主部に突設された第一アーム部と、この第一アーム部に取り付けられた第一当接部材とを有しており、上記副部材が、建物の一部に係止されうる係止部を有しており、上記副部材の接続部が、上記係止部を上記主部に接続しうるように構成されており、上記第一当接部材が、上記係止部に向かう方向に位置調整可能に構成されており、上記第一当接部材と係止部とが、建物の一部であるベランダの端部を挟持することにより、上記ブラケットが建物に固定されるように構成されてもよい。かかる構成によれば、上記係止部と位置調整可能な第一当接部材とによって足場固定具が建物に固定され得るので、係止部側にはとくに位置調整可能な当接部材が設けられる必要はない。すなわち、第一当接部材を有する本体を足場側に配置し、副部材をベランダ内へ配置すれば、ベランダ内部においては当接部材の調整等の固定作業を行う必要がなくなる。
【００１０】
上記接続部が、上記主部に嵌合されることによって接続される嵌合部として構成されており、この嵌合部と上記主部との嵌合位置が調節可能に構成されており、この嵌合位置の調節により、上記第一当接部材と係止部とが挟持する幅寸法を調節しうるように構成されているのが好ましい。
【００１１】
上記接続部が上記係止部を上記主部に対して回転可能に接続しており、係止部が、回転することによって上記作用位置と非作用位置とに変位しうるように構成されてもよい。
【００１２】
上記第一アーム部に突設された第二アーム部と、この第二アーム部に取り付けられた第二当接部材とをさらに備えており、
この第二当接部材が、上記主部に向かう方向に位置調整可能に構成されており、
主部と第二当接部材とで、建物の一部であるベランダの端部を挟持しうるように構成されている。
【発明の効果】
【００１３】
本発明に係る足場固定具によれば、ベランダの側壁を挟持することでブラケットがベランダに取り付けられうる。この足場固定具では、外壁への穿孔は不要である。この足場固定具は、足場及び建物に対する取り付け及び取り外しが容易になされうる。このブラケット及びクランプの操作が、足場に立つ作業者によってなされうることも期待できる。
【図面の簡単な説明】
【００１４】
【図１】図１は、建物のベランダに足場を連結した状態の、本発明の一実施形態に係る足場固定具を示す一部断面正面図である。
【図２】図２（ａ）は図１の足場固定具のブラケットを示す一部切り欠き正面図であり、図２（ｂ）はその平面図である。
【図３】図３は、図２のブラケットの副部材を示す一部切り欠き斜視図である。
【図４】図４は、図１の足場固定具のクランプの組み立て前の状態を示す一部切り欠き正面図である。
【図５】図５は、図２のブラケットの副部材の他の例を示す斜視図である。
【図６】図６（ａ）は図１の足場固定具の取り扱いの手順の一工程を示す正面図であり、図６（ｂ）は同手順の次の工程を示す正面図であり、図６（ｃ）は同手順の次の工程を示す正面図である。
【図７】図７（ａ）は、本発明の他の実施形態に係る足場固定具の一部分を示す一部切り欠き正面図であり、図７（ｂ）は右側面図である。
【発明を実施するための形態】
【００１５】
以下、適宜図面が参照されつつ、好ましい実施形態に基づいて本発明が詳細に説明される。
【００１６】
図１に示された足場固定具１は、ブラケット２とクランプ３とを備えている。図１には、この足場固定具１によって建物のベランダ１００に連結された足場の縦パイプ１０４が示されている。ベランダ１００はコンクリート製である。ベランダ１００は、排水溝１０１が形成された床部１０２と、この床部１０２の端縁に立設された手すり用のプレート（以下、手摺りプレートという）１０３とから構成されている。図１では、ブラケット２が床部１０２の端部を把持し、クランプ３が縦パイプ１０４を把持している。この縦パイプ１０４は、足場の一部である。図示されていないが、この縦パイプ１０４に横パイプが組まれている。図１において、左側がベランダ１００の外側であり、右側がベランダ１００の内側である。
【００１７】
図２に示されるように、上記ブラケット２は、本体４と、この本体４に着脱可能に接続されうる副部材５とを有している。上記本体４は概ねコ字状の外形を有している。本体４は、主部６と、この主部６に突設された第一アーム部７と、この第一アーム部７に突設された第二アーム部８とを有している。主部６、第一アーム部７、第二アーム部８はともに角筒状の鋼管から形成されている。主部６の左右両側面には、それぞれ、長手方向に沿って二つの貫通孔３３が形成されている。貫通孔は三つ以上であってもよい。この貫通孔３３には、後述する副部材５との接続のための、いわゆるトグルピン等の連結ピン３５が貫入される。
【００１８】
第一アーム部７は、主部６の基端部（図中の左端部）における下面に、直角をなす下方に突出するように溶接によって固定されている。第二アーム部８は、第一アーム部７の先端部（図中の下端部）に、直角をなす横方向に突出するように溶接によって固定されている。第二アーム部８は主部６と同一方向に延びている。主部６と第一アーム部７との結合部、及び、第一アーム部７と第二アーム部８との結合部、のそれぞれの左右両側面に、補強用のリブ９が溶接によって取り付けられている。このように、主部６と第一アーム部７と第二アーム部８とは、溶接によって一体化されている。第二アーム部８の基端部（図中の左端部）には、その端部開口を閉止するための閉止板８ａが固着されている。
【００１９】
主部６の上面には、上記クランプ３が連結されうる第一連結部１０が設けられている。この第一連結部１０は、主部６の上面に立設された取付け用ブラケット１１と、この取付け用ブラケット１１に溶接で固着されたナット１２と、取付け用ブラケット１１の固定を補強するための側面リブ１３とを有している。ナット１２は主部６の長手方向を向いている。取付け用ブラケット１１には、ナット１２の雌ねじ孔に連通する貫通孔が形成されている。このナット１２には、後述するクランプ３の第二シャフト４９が螺合されることにより、クランプ３がブラケット２に連結される（図１の実線によるクランプ３参照）。この第一連結部１０には、その前方からでも後方からでも第二シャフト４９が螺合されうることは明らかである。
【００２０】
主部６の下面にはクッション部材１４が固定されている。このクッション部材１４は、ベランダ１００の床部１０２の上面に当接するものである。クッション部材１４により、床部１０２の傷つきが防止される。クッション部材１４としては、ゴムパッド及び樹脂パッドが例示される。
【００２１】
主部６の基端部には第二連結部１５が形成されている。第二連結部１５は、主部６の基端部に、その開口を閉じるように固定された端板１６と、この端板１６の主部６内部側の面に溶接で固着されたナット１７とを有している。ナット１２は主部６の長手方向を向いている。取付け用ブラケット１１には、ナット１２の雌ねじ孔に連通する貫通孔が形成されている。このナット１２には、後述するクランプ３の第二シャフト４９が螺合されることにより、クランプ３がブラケット２に連結される（図１の二点鎖線によるクランプ３参照）。
【００２２】
第一アーム部７の基端部（図中の上端部）近傍には、第一当接部材１８が取り付けられている。この第一当接部材１８は、第一アーム部７の基端部近傍に形成された貫通孔１９と、この貫通孔１９に挿通されたボルト２０と、ボルト２０の先端に固定された当接板（以下、ジョーという）２１と、ボルト２０の基端に形成された回転工具用の六角頭２２と、ボルト２０の中間部に螺着されたナット２３及びワッシャ２３ａとを有している。上記ボルト２０は、第一アーム部７に対し、主部６の長手方向に平行に取り付けられている。上記ジョー２１は第一アーム部７の上記副部材５側に位置し、上記六角頭２２は第一アーム部７の副部材５とは反対側に位置している。第一当接部材１８は、そのジョー２１の先端面が、ベランダ１００の床部１０２の端面に当接しうるように配置されている。
【００２３】
第二アーム部８の先端部（図中の右端部であり、第一アーム部７との結合端と反対側の端部）の近傍には、第二当接部材２４が取り付けられている。この第二当接部材２４は、第二アーム部８の先端部近傍に形成された貫通孔２５と、この貫通孔２５に挿通されたボルト２６と、ボルト２６の先端に固定されたジョー２７と、ボルト２６の基端に形成された回転工具用の六角頭２８と、ボルト２６の中間部に螺着されたナット２９及びワッシャ２９ａとを有している。上記ボルト２６は、第二アーム部８に対し、第一アーム部７の長手方向に平行に取り付けられている。上記ジョー２７は第二アーム部８の上記主部６側に位置し、上記六角頭２８は第二アーム部８の主部６とは反対側に位置している。第二当接部材２４は、そのジョー２７の先端面が、ベランダ１００の床部１０２の下面に当接しうるように配置されている。
【００２４】
図１及び図２では、上記第二当接部材２４の取り付け位置は、平面視でパッド１４に近い位置にされているが、かかる構成には限定されない。例えば、第二アーム部８がもう少し長くされることにより、平面視での第二当接部材２４の位置がより副部材５側に移動させられてもよい。
【００２５】
図１から図３に示すように、上記副部材５は、角筒状の鋼管から形成されている。副部材５は、概ねＬ字状の外形を有している。副部材５は、本体４の主部６との接続部としての嵌合部３０と、嵌合部３０と直角をなす係止部３２とを有している。具体的には、嵌合部３０は、本体４の主部６に対してその先端部開口から内嵌合しうるように構成されている。係止部３２は、嵌合部３０の基端部（図中の右端部）における下面に、直角をなす方向に突出するように溶接によって固定されている。係止部３２の嵌合部３０側の面は、ベランダ１００の排水溝１０１の内側の壁面に当接する部位である。
【００２６】
嵌合部３０の左右両側面には、それぞれ、長手方向に沿って二つの貫通孔３４が形成されている。貫通孔３４は三つ以上であってもよい。この貫通孔３４には、前述した本体４の主部６の貫通孔３３と一致させられたうえで、前述の連結ピン３５が貫入される。これにより、本体４と副部材５とが接続される。主部６の貫通孔３３と、嵌合部３０の貫通孔３４とは、いずれか一方が長手方向に沿って複数個形成され、他方は一個形成されてもよい。貫通孔３３、３４が長手方向に複数個あれば、足場固定具１が、ベランダ１００の端部の種々の厚さに対応することが可能となる。
【００２７】
図１及び図２に示されるように、本体４に副部材５が接続されると、副部材５の係止部３２がベランダ１００の排水溝１０１の内側の壁面に係止しうる。また、第一当接部材１８のジョー２１が上記係止部３２に対向する。この状態で、図１に示すように、係止部３２と第一当接部材１８のジョー２１とが、ベランダ１００の床部１０２の端部を水平方向に把持することができる。まず、ボルト２０がベランダ１００に向かって右方へ押され、ジョー２１がベランダ１００の床部１０２の端面に当接する。さらに、ボルト２０が床部１０２の端面に向けて進むように回転され、これと同時にナット２３が床部１０２の端面から離れるように回転される。すなわち、ボルト２０とナット２３とが共に右回転させられる。そうすると、ボルト２０とナット２３とにより、床部１０２の端面とブラケット２の第一アーム部７との間が開く方向に突っ張られる。このようにして、ブラケット２がベランダ１００に固定される。かかる構成により、厚さの異なる種々の床部１０２の端部に対応することができる。
【００２８】
前述のとおり、係止部３２と第一当接部材１８とが、ベランダ１００の床部１０２の端部を把持することができるので、係止部３２にはとくに第一当接部材１８のような位置調整可能な当接部材を取り付ける必要がない。作業者は、ベランダ１００の内部において、当接部材の締め付け操作等の作業を行う必要がない。また、係止部３２は図示のごとき簡単な構造のもので十分に機能を発揮しうる。係止部３２は短くてもよい。従って、ベランダ１００の上記排水溝１０１が浅いものであっても、短い係止部３２が係合することにより、ブラケット２はしっかりとベランダ１００に固定されうる。
【００２９】
第二当接部材２４の使用方法も、上記第一当接部材１８の使用方法と同様である。すなわち、まず、第一当接部材１８と副部材５の係止部３２とで床部１０２の端部が挟持された後、第二当接部材２４のボルト２６がベランダ１００の下面に向かって上方へ押され、ジョー２７が床部１０２の下面に当接する。さらに、ボルト２６が床部１０２の下面に向けて進むように回転され、これと同時にナット２９が床部１０２の下面から離れるように回転される。すなわち、ボルト２６とナット２９とが共に右回転させられる。そうすると、ボルト２６とナット２９とにより、床部１０２の下面とブラケット２の第二アーム部８との間が開く方向に突っ張られる。このようにして、ブラケット２がベランダ１００に一層強固に固定される。かかる構成により、厚さの異なる種々の床部１０２の端部に対応することができる。
【００３０】
図４にはクランプ３が詳細に示されている。クランプ３は、第一爪３６、第二爪３７、軸ピン３８、第一シャフト３９、ボルト４０、第一シリンダ４１、第二シリンダ４２及び通しボルト４３を有している。
【００３１】
第一爪３６及び第二爪３７には、軸ピン３８が貫通している。第一爪３６及び第二爪３７はともに、軸ピン３８を中心として、第一シャフト３９に対して回動しうる。ボルト４０の基端端は、第一爪３６に固定されている。このボルト４３は、第二爪３７を貫通している。ボルト４０の、第二爪３７を貫通した外側部分にナット４４が螺着されている。このナット４４が回されることにより、第一爪３６に対する第二爪３７の間隔が調整されうる。
【００３２】
第一シャフト３９の外周面には雄ねじが螺刻されている。図２に示されるように、第一シリンダ４１は先端（図中の左端）に向かって先細りである。第一シリンダ４１は、その左端近傍に装着部４５を有している。装着部４５の内周面には雌ねじ４６が螺刻されている。この装着部４５に第一シャフト３９が螺入されうる。第一シリンダ４１は、位置決め用の孔４７を有している。
【００３３】
第二シリンダ４２は、ボディ４８と第二シャフト４９とを備えている。第二シャフト４９は、溶接により、ボディ４８と一体化されている。ボディ４８は、前側位置決め孔５０及び後側位置決め孔５１を有している。前側位置決め孔５０及び後側位置決め孔５１のいずれかが選択されて、これに通しボルト４３が通される。通しボルト４３は同時に、第一シリンダ４１の孔４７にも通される。この通しボルト４３にナット５２が螺着される。前側位置決め孔５０が選択された場合、クランプ３の全長は長い。後側位置決め孔５１が選択された場合、クランプ３の全長は短い。第二シリンダ４２が、軸方向に沿って三個以上の位置決め穴を備えてもよい。
【００３４】
第二シャフト４９の外主面には、雄ねじが螺刻されている。この第二シャフト４９は、第一連結部１０（図１、図２参照）のナット１２に螺入されうる。螺入により、ブラケット２にクランプ３が装着される。第二シャフト４９はさらに、第二連結部１５のナット１７にも螺入されうる（図１の二点鎖線参照）。この螺入により、ブラケット２にクランプ３が装着される。
【００３５】
本実施形態では、副部材５の嵌合部３０は、本体４の主部６に内嵌合するが、かかる構成には限定されない。嵌合部３０が主部６に外嵌合するように構成されてもよい。この場合は、嵌合部３０の下面にクッション部材１４が取り付けられる。
【００３６】
本実施形態では、本体４及び副部材５が角筒状の鋼管から形成されているが、かかる構成には限定されない。本体４及び副部材５の全部又は一部が円筒状の鋼管から形成されてもよい。例えば、図５に示すように、円筒状の係止部５４を有する副部材５３が採用されてもよい。この係止部５４は、嵌合部３０に固定された円筒状の係止部本体５５と、円筒状の高さ調節環５６とを有している。係止部本体５５の外周面に雄ねじ５７が形成され、高さ調節環５６の内周面には、上記雄ねじ５７と螺合しうる雌ねじ（図示せず）が形成される。この高さ調節環５６の、係止部本体５５に対する螺合深さにより、係止部５４の高さが変化する。係止部５４の高さが、ベランダ１００の排水溝１０１の深さに対応させられることにより、ブラケット２が現場で組まれるとき、副部材５３がベランダ１００の端部に安定して載置されうる。
【００３７】
図６を参照しつつ、足場固定具１を用いた、ベランダ１００への足場の取り付け方法を概説する。図６（ａ）に示すように、ベランダ１００の外側から、手摺りプレート１０３の下端と床部１０２の上面との間の狭い隙間Ｄを通して、副部材５が、横倒しにされた状態、すなわち非作用位置にある状態でその係止部３２側からベランダ１００内へ挿入される。このように、副部材５は、その係止部３２の長手方向が水平となるように横倒しにされると、上記隙間Ｄが狭くても、ベランダ１００内部へ容易に挿入されうる。次いで、副部材５は、その嵌合部３０の中心軸回りに約９０°程度回転させられて、図６（ａ）に示された姿勢でベランダ１００の端部に載置される。この状態で、副部材５は作用位置にあると言える。
【００３８】
次いで、図６（ｂ）に示されるように、ベランダ１００の外側から、ブラケット２が、使用時と同様の縦の姿勢でベランダ１００に接近させられる。ブラケット２の主部６が、その内部に上記副部材５の嵌合部３０が挿入されるように、上記隙間Ｄに挿入される。次いで、主部６の貫通孔３３と嵌合部３０の貫通孔３４とが一致させられる。一致した両貫通孔３３、３４に連結ピン３５が挿入され、ブラケット２と副部材５とが接続される。この状態で、副部材５が作用位置に固定されたと言える。
【００３９】
次いで、図６（ｃ）に示されるように、ベランダ１００の外側において、第一当接部材１８のボルト２０とナット２３とが操作されて、第一当接部材１８と副部材５の係止部３２とで、ベランダ１００の床部１０２の端部が挟持される。さらに、第二当接部材２４のボルト２６とナット２９とが操作されて、第二当接部材２４とブラケット２の主部６とで、ベランダ１００の床部１０２の端部が上下に挟持される。これにより、ブラケット２がベランダ１００に固定される。
【００４０】
図６（ｃ）に示されるように、主部６の第一連結部１０に、クランプ３の第二シャフト４９が螺着される。これにより、クランプ３がブラケット２に連結される。次いで、クランプ３の爪３６、３７が足場の縦パイプ１０４を把持しうるように、第二シリンダ４２に対する第一シリンダ４１の位置、第一シリンダ４１に対する第一シャフト３９の位置等を変更することにより、クランプ３の縦パイプ１０４に対する位置合わせが行われる。クランプ３の位置の大幅な変更が望まれるときには、第一連結部１０及び第二連結部１５のうちの好適な方が選択されて、そこにクランプ３が連結される。
【００４１】
最終的に、図１に示すように、クランプ３の爪３６、３７が足場の縦パイプ１０４を把持する。これにより、足場が、足場固定具１によってベランダ１００に固定される。以上説明されたとおり、足場固定具１のベランダ１００への取り付け作業、及び、足場固定具１の足場への連結作業は、いずれもベランダの外側において実施されうる。ベランダ１００の内外を連通する隙間が存在すれば、作業者はベランダの外部において作業を行うことができる。かかる作業を行う作業者は、ベランダ１００の内部に乗り移る必要がない。
【００４２】
図７には他の足場固定具６１の一部が示されている。この足場固定具６１は、既に説明された副部材５、５３のように本体４の主部６に嵌合されるものではなく、本体６２に対して回転可能に接続された副部材６３を有したものである。本足場固定具６１のその他の構成は図２の足場固定具１と同一であるため、同一構成部材には同一符号が付され、その説明は省略される。この足場固定具６１においても、本体６２及び副部材６３ともに角筒状の鋼管から形成されている。
【００４３】
図７に示されるごとく、副部材６３は、本体６２の主部６４の先端に回転可能に取り付けられている。主部６４の先端には、その開口部を閉止する閉止板の機能を兼ねた取付板６５が溶接によって固定されている。この取付板６５の中央にはボルト孔６６が穿孔されている。副部材６３における、主部６４の先端に対向する部分の内面には、補強板６７が溶接によって固着されている。上記取付板６５のボルト孔６６に対向して、副部材６３及び補強板６７にもボルト孔６８が穿孔されている。これらの両ボルト孔６６、６８には、主部６４の内部側から六角頭付きボルト６９が挿通されている。この六角頭付きボルト６９には、副部材６３の内部側からナット７０が螺着されている。かかる構成により、副部材６３は、主部６４に対して六角頭付きボルト６９回りに回転可能となる。
【００４４】
以下に、副部材６３の主部６４への取付方法の一例が説明される。まず、六角頭付きボルト６９が取付板６５のボルト孔６６に挿通されたうえで、取付板６５が主部６４の先端開口に溶接によって固着される。この場合、後述のナット７０の螺着の便宜のため、六角頭付きボルト６９は予め取付板６５に溶接によって固定されていてもよい。次いで、副部材６３が主部６４の先端に当接させられ、六角頭付きボルト６９は副部材６３のボルト孔６８に挿通される。次いで、副部材６３の内部に位置する六角頭付きボルト６９の先端からナット７０が螺着される。このナット７０を螺着する作業は、副部材６３の上端開口及び下端開口を通してなされる。螺着後のナット７０が六角頭付きボルト６９に点溶接等によって固着される。以上の作業が終了すると、副部材６３の上端開口及び下端開口に閉止板７１が溶接によって固着される。なお、分解作業の必要性から、この閉止板７１は副部材６３に固着されなくてもよい。
【００４５】
上記足場固定具６１では、ナット７０は副部材６３の内部において六角頭付きボルト６９に螺着されているが、かかる構成には限定されない。例えば、副部材６３の上記ボルト孔６８と対向する背面壁にもボルト孔が穿孔され、六角頭付きボルト６９が副部材６３の全体を貫通するように構成されてもよい。そして、背面壁から外部へ突出した六角頭付きボルト６９の先端からナット７０が螺着されてもよい。この場合、上記補強板６７は、副部材６３の背面壁に固着されることになる。
【００４６】
副部材６３を主部６４に回転可能に接続するためにボルト及びナットが用いられているが、かかる構成には限定されない。他の公知の様々な軸部材が選択されうる。
【００４７】
以上説明された足場固定具６１は、まず、副部材６３が回転させられて水平にされる（図７（ｂ）の二点鎖線）。水平状態の副部材６３が、ベランダ１００の外側から、手摺りプレート１０３の下端と床部１０２の上面との間の狭い隙間Ｄを通して、ベランダ１００内に挿入される。副部材６３に対する床部１０２等による拘束が解かれると、副部材６３が自重によって約９０°程度回転し、鉛直姿勢となる（図７の実線）。鉛直姿勢の副部材６３は床部１０２の端縁に係止させられる。次いで、ベランダ１００の外側において、第一当接部材１８のボルト２０とナット２３とが操作される。あとは、図６を参照しつつ説明されたのと同様の手順で、足場がベランダ１００に接続される。以上の作業を行う作業者は、ベランダ１００の内部に乗り移る必要がない。
【産業上の利用可能性】
【００４８】
以上説明された足場固定具は、補修時のみならず、建物の新築時や解体時にも用いられうる。
【符号の説明】
【００４９】
１・・・足場固定具
２・・・ブラケット
３・・・クランプ
４・・・本体
５・・・副部材
６・・・主部
７・・・第一アーム部
８・・・第二アーム部
９・・・補強リブ
１０・・・第一連結部
１１・・・取付け用ブラケット
１２・・・ナット
１３・・・側面リブ
１４・・・クッション部材
１５・・・第二連結部
１６・・・端板
１７・・・ナット
１８・・・第一当接部材
１９・・・貫通孔
２０・・・ボルト
２１・・・ジョー
２２・・・六角頭
２３・・・ナット
２４・・・第二当接部材
２５・・・貫通孔
２６・・・ボルト
２７・・・ジョー
２８・・・六角頭
２９・・・ナット
３０・・・嵌合部
３２・・・係止部
３３・・・（主部の）貫通孔
３４・・・（嵌合部の）貫通孔
３５・・・連結ピン
３６・・・第一爪
３７・・・第二爪
３８・・・軸ピン
３９・・・第一シャフト
４０・・・ボルト
４１・・・第一シリンダ
４２・・・第二シリンダ
４３・・・通しボルト
４４・・・ナット
４５・・・装着部
４６・・・雌ねじ
４７・・・位置決め用の孔
４８・・・ボディ
４９・・・第二シャフト
５０・・・前側位置決め孔
５１・・・後側位置決め孔
５２・・・ナット
５３・・・副部材
５４・・・係止部
５５・・・係止部本体
５６・・・高さ調節環
５７・・・雄ねじ
６１・・・足場固定具
６２・・・本体
６３・・・副部材
６４・・・主部
６５・・・取付板
６６・・・ボルト孔
６７・・・補強板
６８・・・ボルト孔
６９・・・六角頭付きボルト
７０・・・ナット
７１・・・閉止板
１００・・・ベランダ
１０１・・・排水溝
１０２・・・床部
１０３・・・手摺りプレート
１０４・・・縦パイプ
Ｄ・・・隙間
【図１】
2011236573.tif 000003
【図２】
2011236573.tif 000004
【図３】
2011236573.tif 000005
【図４】
2011236573.tif 000006
【図５】
2011236573.tif 000007
【図６】
2011236573.tif 000008
【図７】
2011236573.tif 000009